(57)【要約】【課題】シャッタープレート閉時、シャッタープレートとシャッター枠との間の隙間から、空気の流入及び光の差し込みが生じにくい換気扇を得ること。【解決手段】送風機の風下に、風路を開閉するシャッター１３が設けられた換気扇において、前記シャッター１３は、方形に形成されたシャッター枠１７と、前記シャッター枠１７の側部枠１７ａに、横向き開き位置と下向き閉じ位置とに上下回動可能に支持され、前記下向き閉じ位置にあるとき、側端部の一部１８ｅが前記側部枠１７ａの前面１７ｂに重なるように幅広に形成された、複数の横長のシャッタープレート１８と、を備える。【選択図】        図７
2010139135.tif 000002
【特許請求の範囲】
【請求項１】
送風機の風下に、風路を開閉するシャッターが設けられた換気扇において、
前記シャッターは、
方形に形成されたシャッター枠と、
前記シャッター枠の側部枠に、横向き開き位置と下向き閉じ位置とに上下回動可能に支持され、前記下向き閉じ位置にあるとき、側端部の一部が前記側部枠の前面に重なるように幅広に形成された、複数の横長のシャッタープレートと、
を備えることを特徴とする換気扇。
【請求項２】
前記複数の横長のシャッタープレートは、送風機による換気流の有無により開閉することを特徴とする請求項１に記載の換気扇。
【請求項３】
前記複数のシャッタープレートは、連結棒により電動の開閉装置に接続され、該開閉装置により開閉されることを特徴とする請求項１に記載の換気扇。
【発明の詳細な説明】
【技術分野】
【０００１】
本発明は、建物の壁や天井等に設置され、複数のシャッタープレートを備え、屋内の空気を吸込んで屋外へ排気する換気扇に関するものである。
【背景技術】
【０００２】
従来、回転翼車の前方に設けた排気窓に板状シャッターを開閉自在に取付け、該シャッターに、排気流に対し互いに仰角を異にする複数個の翼面を形成した換気扇シャッターがある（例えば、特許文献１参照）。
【０００３】
また、シャッター枠に該枠内を室内側から室外側へ吹く風により回動せられて開放する第一のシャッターと、該風により室外側斜め上方に所定距離移動せられてから回動されて開放する第二のシャッターとを設けて、常時はその第二のシャッターの室内側への回動をストッパにより規制して、第一のシャッターをその第二のシャッターと室外側から一部重なる様にしたシャッター装置がある（例えば、特許文献２参照）。
【０００４】
また、内部に電動送風機を設けた枠体状の本体と、この本体の風下側の開口部に開閉自在に軸支された複数のシャッターと、この複数のシャッターの後端部近傍を回動自在に連結し、自重によりシャッターが閉鎖されるように設けたシャッター連動金具と、このシャッター連動金具の風上側においてシャッター連結金具の側辺に当接する当接片を水平方向に有し、垂直方向に風受板を設け逆Ｌ字形に形成し曲部を支点に本体に回動自在に設けられた補助シャッターとを備え、前記電動送風機の運転停止時には前記補助シャッターの当接片によりシャッター連結金具の移動を阻止せしめ、電動送風機の運転時には前記補助シャッターを電動送風機の風圧で回動させたのち複数のシャッターを風圧で開放せしめる構成とした風圧開閉式シャッター付換気扇がある（例えば、特許文献３参照）。
【０００５】
【特許文献１】特公昭３４−７３８０号公報
【特許文献２】特開昭５８−７８０３３号公報
【特許文献３】特開平０９−６８３３４号公報
【発明の開示】
【発明が解決しようとする課題】
【０００６】
しかしながら、上記の、連動する複数のシャッタープレートを有する従来の換気扇においては、シャッタープレートの閉時、シャッタープレートの左右両端とシャッター枠の内側面との間に隙間があった。そのため、その隙間から空気が流入し、光が差し込む、という問題があった。
【０００７】
本発明は、上記に鑑みてなされたものであって、シャッタープレートの閉時、シャッタープレートとシャッター枠との間の隙間から、空気の流入及び光の差し込みが生じにくい換気扇を得ることを目的とする。
【課題を解決するための手段】
【０００８】
上述した課題を解決し、目的を達成するために、本発明は、送風機の風下に、風路を開閉するシャッターが設けられた換気扇において、前記シャッターは、方形に形成されたシャッター枠と、前記シャッター枠の側部枠に、横向き開き位置と下向き閉じ位置とに上下回動可能に支持され、前記下向き閉じ位置にあるとき、側端部の一部が前記側部枠の前面に重なるように幅広に形成された、複数の横長のシャッタープレートと、を備えることを特徴とする。
【発明の効果】
【０００９】
この発明によれば、シャッタープレートの閉時、シャッタープレートとシャッター枠との間の隙間から、空気の流入及び光の差し込みが生じにくい換気扇が得られる、という効果を奏する。
【発明を実施するための最良の形態】
【００１０】
以下に、本発明にかかる換気扇の実施の形態を図面に基づいて詳細に説明する。なお、この実施の形態によりこの発明が限定されるものではない。
【００１１】
実施の形態１．
図１は、本発明にかかる換気扇の実施の形態１を示す室外側の正面図であり、図２は、実施の形態１の換気扇のシャッタープレートを閉じた状態の一部破断側面図であり、図３は、実施の形態１の換気扇のシャッタープレートを開いた状態の一部破断側面図であり、図４は、シャッタープレートの一部を示す正面図であり、図５は、シャッタープレートの側面図であり、図６は、シャッタープレートを開いた状態のシャッターの一部を示す斜視図であり、図７は、シャッタープレートを閉じた状態のシャッターの一部を示す斜視図である。
【００１２】
図１〜図３に示すように、実施の形態１の換気扇１１は、モーター１５とモーター１５の回転軸に取付けられた羽根車１６とから成る送風機１２と、送風機１２が発生させる換気流を室外側へ通す風路としての風洞１１ａと、風洞１１ａの室外側（送風機１２の風下側）に取付けられ風路を開閉するシャッター１３と、を備えている。
【００１３】
シャッター１３は、方形に形成されたシャッター枠１７と、シャッター枠１７の側部枠１７ａに、横向き開き位置と下向き閉じ位置とに、回動軸１９（図５〜７参照）回りに上下回動可能に支持された複数の横長のシャッタープレート１８と、複数のシャッタープレート１８同士を連結して上下回動を連動させる連結棒１４と、を備えている。複数のシャッタープレート１８は、送風機１２が発生させる換気流の風圧により、上方へ回動して横向きとなって風路を開き、送風機１２が停止すると下方へ回動して下向きとなって風路を閉じるようになっている。
【００１４】
図４及び図５に示すように、シャッタープレート１８は、略台形状に折り曲げられ、風上側に略３０°の角度で折り曲げられて側端部に側板１８ｄが取付けられた基部１８ｂと、シャッター部１８ａと、シャッター部１８ａから風上側に略４５°の角度で折り曲げられた先部１８ｃと、側板１８ｄに取付けられた回動軸１９と、を有している。
【００１５】
図６及び図７に示すように、シャッター部１８ａは、基部１８ｂ及び先部１８ｃよりも横幅が広く形成され、下向きとなって風路を閉じた位置にあるとき、シャッタープレート１８の側端部の一部としてのシャッター部１８ａの側端部１８ｅが、側部枠１７ａの前面１７ｂに平行になって重なり、基部１８ｂ及び先部１８ｃは、側部枠１７ａの内側に収まるようになっている。シャッター部１８ａの側端部１８ｅが、側部枠１７ａの前面１７ｂに重なることにより、室外からの空気の流入及び光の差し込みが生じ難くなっている。
【００１６】
シャッタープレート１８の先部１８ｃは、シャッター部１８ａに対して略４５°の角度に風上側に折り曲げられているので、換気流を受けやすく、換気流の風圧により開き易くなっている。
【００１７】
以上説明したように、実施の形態１のシャッタープレート１８は、シャッター部１８ａの横幅を、基部１８ｂ及び先部１８ｃよりも広く形成し、風路を閉じた状態のとき、シャッター部１８ａの側端部１８ｅが、側部枠１７ａの前面１７ｂに平行になって重なるようにしたので、従来のものに比べ、シャッタープレート１８と側部枠１７ａとの間の隙間を８０％程度少なくすることができる。
【００１８】
実施の形態２．
図８は、本発明にかかる換気扇の実施の形態２を示す室外側の正面図であり、図９は、実施の形態２の換気扇のシャッタープレートを閉じた状態の一部破断側面図であり、図１０は、実施の形態２の換気扇のシャッタープレートを開いた状態の一部破断側面図である。
【００１９】
図８〜図１０に示すように、実施の形態２の換気扇２１１が、実施の形態１の換気扇１１と異なるところは、シャッタープレート１８が、連結棒１４を介して、シャッター枠１７に設置された電動駆動の開閉装置２０に接続されていることである。換気扇２１１のその他の部分は、実施の形態１の換気扇１１と異なるところはない。実施の形態２のシャッタープレート１８は、開閉装置２０が連結棒１４を上下動させることにより開閉する。
【産業上の利用可能性】
【００２０】
以上のように、本発明にかかる換気扇は、室内温度及び室内照度の安定が要求される換気扇に有用である。
【図面の簡単な説明】
【００２１】
【図１】本発明にかかる換気扇の実施の形態１を示す室外側の正面図である。
【図２】実施の形態１の換気扇のシャッタープレートを閉じた状態の一部破断側面図である。
【図３】実施の形態１の換気扇のシャッタープレートを開いた状態の一部破断側面図である。
【図４】シャッタープレートの一部を示す正面図である。
【図５】シャッタープレートの側面図である。
【図６】シャッタープレートを開いた状態のシャッターの一部を示す斜視図である。
【図７】シャッタープレートを閉じた状態のシャッターの一部を示す斜視図である。
【図８】本発明にかかる換気扇の実施の形態２を示す室外側の正面図である。
【図９】実施の形態２の換気扇のシャッタープレートを閉じた状態の一部破断側面図である。
【図１０】実施の形態２の換気扇のシャッタープレートを開いた状態の一部破断側面図である。
【符号の説明】
【００２２】
１１、２１１  換気扇
１１ａ  風洞
１２  送風機
１３  シャッター
１４  連結棒
１５  モーター
１６  羽根車
１７  シャッター枠
１７ａ  側部枠
１７ｂ  側部枠の前面
１８  シャッタープレート
１８ａ  シャッター部
１８ｂ  基部
１８ｃ  先部
１８ｄ  側板
１８ｅ  シャッター部の側端部（シャッタープレートの側端部の一部）
１９  回動軸
２０  開閉装置
【図１】
2010139135.tif 000003
【図２】
2010139135.tif 000004
【図３】
2010139135.tif 000005
【図４】
2010139135.tif 000006
【図５】
2010139135.tif 000007
【図６】
2010139135.tif 000008
【図７】
2010139135.tif 000009
【図８】
2010139135.tif 000010
【図９】
2010139135.tif 000011
【図１０】
2010139135.tif 000012